(57)【要約】【課題】景品玉を収容した玉箱が積み重ねられたときに、こぼれ玉が生じないようにするとともに、単なる上げ底によらず、出玉が実際よりも多量にあるという印象を与えるように玉箱を積み重ねることができる玉箱積重具を提供する。【解決手段】本発明の玉箱積重具Ｕは、パチンコの景品玉を収納する玉箱Ｖを積み重ねる際に用いられる玉箱積重具Ｕであって、方形の筒体とされた本体１と、本体１の下端側に下側の玉箱Ｖ１を覆うように形成された下側係合部２と、上端側に上側の玉箱Ｖ２の縁部１３が載置されるように形成された上側係合部３とを備え、本体１の高さＬ１が玉箱の深さＬ２より大きくされてなるものである。【選択図】  図１
2007117387.tif 000002
【特許請求の範囲】
【請求項１】
パチンコの景品玉を収納する玉箱を積み重ねる際に用いられる玉箱積重具であって、
方形の筒体とされた本体と、該本体の下端側に下側の玉箱を覆うように形成された下側係合部と、上端側に上側の玉箱の縁部が載置されるように形成された上側係合部とを備え、
前記本体の高さが玉箱の深さより大きくされてなる
ことを特徴とする玉箱積重具。
【請求項２】
上側係合部に上側の玉箱の取っ手の補強部材を落とし込む落とし込み部が形成されてなることを特徴とする請求項１記載の玉箱積重具。
【請求項３】
本体外側面に透明なポケットが設けられてなることを特徴とする請求項１記載の玉箱積重具。
【発明の詳細な説明】
【技術分野】
【０００１】
本発明は、玉箱積重具に関する。さらに詳しくは、パチンコの景品玉が容れられた玉箱を積み重ねるに際して、景品玉がこぼれないよう保持するとともに、玉数を多く見せるように玉箱を積み重ねることができる玉箱積重具に関する。
【背景技術】
【０００２】
従来より、パチンコの出玉が多く、景品玉が１つの玉箱に収まらない場合は、満杯となった玉箱を順次当該遊技者の側に積み重ねて置くのが通常とされる。このとき、積み方が拙いと景品玉が箱からこぼれることがあり、これにより遊技者が不快な思いをしたり、後始末が煩雑となったりすることも多い。
【０００３】
また、パチンコ遊技場内の各所で景品玉が満杯となった玉箱が積み重ねられているという光景は来場者の遊技意欲を高揚させるものであるとともに、満杯の箱を高く積み上げる程に満足感を覚える遊技者も多いため、一定の玉数で、できるだけ多くの玉箱が積み重ねられることになるように、玉箱を上げ底とすることも提案されている（特許文献１、２、３等参照）。
【０００４】
ところが、単に積み重ねられる箱数が多くなるようにするだけでは、満杯の玉箱を積み重ねたときの安定性も悪く、こぼれ玉も増大して、遊技者が快適に遊技を続けられなくなるといった問題を生ずる。
【特許文献１】特開２００２−２１０２１９号公報
【特許文献２】特開２００２−２１９２６８号公報
【特許文献３】特開２００２−３４６２０２号公報
【発明の開示】
【発明が解決しようとする課題】
【０００５】
本発明はかかる従来技術の課題に鑑みなされたものであって、景品玉を収容した玉箱が積み重ねられたときに、こぼれ玉が生じないようにするとともに、単なる上げ底によらず、出玉が実際よりも多量にあるという印象を与えるように玉箱を積み重ねることができる玉箱積重具を提供することを目的としている。
【課題を解決するための手段】
【０００６】
本発明の玉箱積重具は、パチンコの景品玉を収納する玉箱を積み重ねる際に用いられる玉箱積重具であって、方形の筒体とされた本体と、該本体の下端側に下側の玉箱を覆うように形成された下側係合部と、上端側に上側の玉箱の縁部が載置されるように形成された上側係合部とを備え、前記本体の高さが玉箱の深さより大きくされてなるてなることを特徴とする。
【０００７】
本発明の玉箱積重具においては、上側係合部に上側の玉箱の取っ手の補強部材を落とし込む落とし込み部が形成されてなるのが好ましい。
【０００８】
また、本発明の玉箱積重具においては、本体外側面に透明なポケットが設けられてなるのが好ましい。
【発明の効果】
【０００９】
本発明の玉箱積重具は、前記の如く構成されているので、こぼれ玉が生じないようにするとともに、単なる上げ底によらず、出玉が実際よりも多量にあるという印象を与えるように玉箱を積み重ねることができるという優れた効果が得られる。
【発明を実施するための最良の形態】
【００１０】
以下、添付図面を参照しながら本発明を実施形態に基づいて説明するが、本発明はかかる実施形態のみに限定されるものではない。
【００１１】
図１に、本発明の一実施形態に係る玉箱積重具の概略構成を斜視図により示す。図２に、その正面図を示し、図３に、その側面図を示す。
【００１２】
玉箱積重具Ｕは、例えば有色不透明な薄肉（例えば、厚さ約２ｍｍ）の硬質プラスチックからなり、パチンコの景品玉を収容した各玉箱を上下方向に積み重ねるに際して、安定性を増すよう各玉箱の間に介装されるものであり（図６参照）、図１に示すように、方形の筒体からなる本体１と、その軸方向一端側（下側）に設けられ下側の玉箱を覆うように係合する蓋板状の下側係合部２と、本体１の他端側（上側）に設けられ上側の玉箱が載置・係合される上側係合部３とを備える。
【００１３】
図４に、玉箱積重具Ｕにより積み重ねられる玉箱の一例を斜視図により示す。図５に、その正面図を示す。
【００１４】
図４に示すように、玉箱Ｖは有色透明な厚肉（例えば、厚さ約３ｍｍ）の硬質プラスチックからなり、概略長方形の上面開口１１ａを有する玉収容部１１と、玉収容部１１の長手方向両側に設けられた取っ手１２とを備える。
【００１５】
玉収容部１１は、上面開口１１ａの周囲に設けられた縁部１３を有する。縁部１３は、玉収容部１１の幅方向両側において下側への折返し１３ａ（図５参照）を有する。
【００１６】
取っ手１２は、図４に示すように、縁部１３と一体形成されており、取っ手１２の上面と縁部１３の上面とが、前記玉箱積重具Ｕの蓋状の下側係合部２に覆われる玉箱Ｖの上面１４を形成している。
【００１７】
また、取っ手１２と縁部１３との間には、方形の指通し孔１５が設けられるものとされる。
【００１８】
また、図５に示すように、前記上面１４の下方において、取っ手１２と玉収容部１１との間には、取っ手１２を補強するための板状の補強部材１２ａが設けられるものとされる。補強部材１２ａは、玉収容部１１の長手方向両側にそれぞれ２枚ずつ、玉収容部１１の容器壁外面および前記上面１４と互いに垂直に、かつ指通し孔１５を間に挟んでその両側に設けられるものとされる。
【００１９】
以下、玉箱積重具Ｕの各部をさらに詳細に説明する。
【００２０】
玉箱積重具Ｕの本体１は、高さＬ１（図３参照）が玉箱Ｖの玉収容部１１の深さＬ２（図４参照）の１．５倍〜２倍程度の筒体であり、玉箱Ｖの上面開口１１ａを過不足なく囲繞するような概略長方形の底面開口（一端側開口）を有する。
【００２１】
また、本体１の他端側（上側）開口は、上側の玉箱Ｖ２（図６参照）の玉収容部１１が過不足なく嵌り込むように形成されており、その幅Ｌ３（図１参照）は、開口端部が縁部１３の折返し１３ａの内側に嵌り込むように設定される。
【００２２】
ここで、本体１には、図２に示すように、パチンコ遊技場の屋号や各種広告等を表示するための透明のポケット２１を設けるのが好ましい。ポケット２１は、屋号や広告が記載された紙片およびプラスチック片等からなる表示物２２を透視可能に収容するためのポケット付フィルム部材から構成される。
【００２３】
次に、下側係合部２を説明する。下側係合部２は、前記玉箱Ｖの上面１４の外周面１４ａ（図６参照）と、その内周面２ｂが当接する縁部２ａ（図１および図２参照）を有しており、玉箱Ｖの上面１４に被せられて玉箱Ｖと係合するものとされる。下側係合部２の中央部分は、図１に示すように、本体１の一端側開口（底面開口）と接続された透孔２ｃとされている。
【００２４】
すなわち、この透孔２ｃを介して本体１が玉箱Ｖの上面開口１１ａを囲繞して、玉箱Ｖから景品玉がこぼれるのを防止するものとされる。
【００２５】
上側係合部３は、上側玉箱Ｖ２（図６参照）の玉収容部１１を本体１の他端側（上側）開口に嵌め込む際に、玉箱Ｖの取っ手１２の補強部材１２ａが前記他端側開口と干渉しないように、前記他端側開口の一部分を切除するようにしてなる落とし込み部３ａが形成されている。
【００２６】
しかして、かかる構成の玉箱積重具Ｕにおいては、図６に示すように、玉収容部１１にパチンコの景品玉を収容した複数の玉箱Ｖを上下方向に積み重ねるに際して、１）下側玉箱Ｖ１と玉箱積重具Ｕの下側係合部２とが係合するように下側玉箱Ｖ１の上に玉箱積重具Ｕを装着し、２）上側玉箱Ｖ２と玉箱積重具Ｕの上側係合部３とが係合するように玉箱積重具Ｕの上に上側玉箱Ｖ２を置き、３）前記１、２の手順を繰り返して、景品玉が収容された玉箱Ｖを順次積み上げるものとされる。このとき、下側玉箱Ｖ１と上側玉箱Ｖ２とは、所定の間隙Ｌ４を空けて上下方向に積まれていく。
【００２７】
これにより、本体１によりこぼれ玉を防止しながら、景品玉を収容した各玉箱Ｖをより安定した状態でより高く積み上げることが可能となる。したがって、パチンコ遊技者は快適に遊技を続けることが可能となる。
【００２８】
また、玉箱積重具Ｕを用いて例えばパチンコ遊技場の床に景品玉を収容した玉箱Ｖを積み上げると、来場者は、積み上げられた箱の高さが前記間隙Ｌ４だけ高いことから、実際の出玉よりも多量の出玉があるような印象を受ける。このため、一定の出玉で来場者の遊技意欲をより高揚させることが可能となる。
【００２９】
さらに、遊技者は、一定の出玉においてより高く玉箱Ｖを積み上げることが可能となるために、より大きな満足度を得ることが可能となる。
【００３０】
その上、ポケット２１にデザイン性の高い表示物２２を表示するものとすることによって、より華やかな印象を遊技者および来場者に与えることができ、これにより遊技者および来場者の遊技意欲をより高揚させることも可能である。
【産業上の利用可能性】
【００３１】
本発明は、パチンコの景品玉を収容した玉箱を積み上げるために適用できる。
【図面の簡単な説明】
【００３２】
【図１】本発明の一実施形態に係る玉箱積重具の概略構成を示す斜視図である。
【図２】同玉箱積重具の正面図である。
【図３】同玉箱積重具の側面図である。
【図４】同玉箱積重具により積み重ねられる玉箱の一例を示す斜視図である。
【図５】同玉箱の正面図である。
【図６】前記同玉箱積重具の使用状態を示す正面図である。
【符号の説明】
【００３３】
Ｕ      玉箱積重具
Ｖ      玉箱
１      本体
２      下側係合部
３      上側係合部
３ａ    落とし込み部
１１      玉収容部
１２      取っ手
２１      ポケット
【図１】
2007117387.tif 000003
【図２】
2007117387.tif 000004
【図３】
2007117387.tif 000005
【図４】
2007117387.tif 000006
【図５】
2007117387.tif 000007
【図６】
2007117387.tif 000008